(57)【要約】パーソナルコンピュータ（１０１）は、ＴＶフォーマット映像信号とコンピュータフォーマット映像信号との切り替えを表示装置（１１３）に対して指示する制御信号を生成する制御信号生成部（１０４）を備え、表示装置（１１３）は、パーソナルコンピュータ（１０１）から出力される制御信号に基づいて、ＴＶフォーマット映像信号とコンピュータフォーマット映像信号との入力切り替えを行う入力切り替え部（１１４）を備える。
2003054848.tif 000002
【特許請求の範囲】
【請求項１】
コンピュータ装置と表示装置とを備えたコンピュータ表示システムであって、
前記コンピュータ装置は、
圧縮された映像信号を伸長しＴＶフォーマット映像信号を出力する映像デコード手段と、
コンピュータフォーマット映像信号を出力する映像出力手段と、
前記ＴＶフォーマット映像信号と前記コンピュータフォーマット映像信号との切り替えを外部に対して指示する制御信号を生成する制御信号生成手段とを備え、
前記表示装置は、
前記コンピュータ装置から出力される前記制御信号に基づいて、ＴＶフォーマット映像信号とコンピュータフォーマット映像信号との入力切り替えを行う映像信号切り替え手段を備える
ことを特徴とするコンピュータ表示システム。
【請求項２】
前記コンピュータ装置は、さらに、前記ＴＶフォーマット映像信号および前記コンピュータフォーマット映像信号それぞれの出力指示を検知する検知手段を備え、
前記制御信号生成手段は、前記検知手段の検知結果に基づいて、前記制御信号を生成する
ことを特徴とする請求の範囲１記載のコンピュータ表示システム。
【請求項３】
前記検知手段は、アプリケーションソフトウエアが実行された場合に前記コンピュータフォーマット映像信号が、前記圧縮された映像信号の再生が実行された場合に前記ＴＶフォーマット映像信号が、それぞれ出力指示されたと検知する
ことを特徴とする請求の範囲２記載のコンピュータ表示システム。
【請求項４】
前記コンピュータ装置は、さらに、ＴＶ放送信号を受信するＴＶ受信手段を備え、
前記映像デコード手段は、前記ＴＶ放送信号を伸長しＴＶフォーマット映像信号を出力する
ことを特徴とする請求の範囲２記載のコンピュータ表示システム。
【請求項５】
前記検知手段は、アプリケーションソフトウエアが実行された場合に前記コンピュータフォーマット映像信号が、前記圧縮された映像信号の再生および前記ＴＶ放送信号の受信が実行された場合に前記ＴＶフォーマット映像信号が、それぞれ出力指示されたと検知する
ことを特徴とする請求の範囲４記載のコンピュータ表示システム。
【請求項６】
前記コンピュータ装置は、さらに、記録媒体に保持され、圧縮された映像信号の映像ファイル名、およびアプリケーションソフトウエアのファイル名が再生項目として記載されたプレイリストに基づいて、アプリケーションソフトウエアの実行および映像ファイルの再生を行うプレイリスト制御手段を備え、
前記映像出力手段は、アプリケーションソフトウエアの実行によりコンピュータフォーマット映像信号を出力し、
前記制御信号生成手段は、前記プレイリスト制御手段が行った前記アプリケーションソフトウエアの実行または映像ファイルの再生に基づいて前記制御信号を生成する
ことを特徴とする請求の範囲１記載のコンピュータ表示システム。
【請求項７】
前記コンピュータ装置は、さらに、記録媒体に保持され、圧縮された映像信号の映像ファイル名、アプリケーションソフトウエアのファイル名、および前記ＴＶ放送信号の受信が再生項目として記載されたプレイリストに基づいて、アプリケーションソフトウエアの実行および映像ファイルの再生を行うプレイリスト制御手段を備え、
前記映像出力手段は、アプリケーションソフトウエアの実行によりコンピュータフォーマット映像信号を出力し、
前記制御信号生成手段は、前記プレイリスト制御手段が行った前記アプリケーションソフトウエアの実行、映像ファイルの再生、または前記ＴＶ放送信号の受信に基づいて前記制御信号を生成する
ことを特徴とする請求の範囲４記載のコンピュータ表示システム。
【請求項８】
前記プレイリスト制御手段は、前記アプリケーションソフトウエアの実行時には、実行中のファイルの実行終了を検知して前記プレイリストの次の再生項目に移行し、前記映像ファイルの再生の実行時には、実行中の映像ファイルの再生の終了を検知して次の再生項目に移行する
ことを特徴とする請求の範囲６または請求の範囲７記載のコンピュータ表示システム。
【請求項９】
前記プレイリストは、再生開始時刻と再生終了時刻に関する時間情報を更に含み、
前記プレイリスト制御手段は、前記プレイリストより取得した前記時間情報に基づいて、前記アプリケーションソフトウエアの実行および前記映像ファイルの再生を行う
ことを特徴とする請求の範囲６または請求の範囲７記載のコンピュータ表示システム。
【請求項１０】
アプリケーションソフトウエアを実行するコンピュータ装置であって、
圧縮された映像信号を伸長しＴＶフォーマット映像信号を出力する映像デコード手段と、
コンピュータフォーマット映像信号を出力する映像出力手段と、
前記ＴＶフォーマット映像信号と前記コンピュータフォーマット映像信号との切り替えを外部に対して指示する制御信号を生成する制御信号生成手段とを備える
ことを特徴とするコンピュータ装置。
【請求項１１】
前記コンピュータ装置は、さらに、記録媒体に保持され、圧縮された映像信号の映像ファイル名、およびアプリケーションソフトウエアのファイル名が再生項目として記載されたプレイリストに基づいて、アプリケーションソフトウエアの実行および映像ファイルの再生を行うプレイリスト制御手段を備え、
前記映像出力手段は、アプリケーションソフトウエアの実行によりコンピュータフォーマット映像信号を出力し、
前記制御信号生成手段は、前記プレイリスト制御手段が行った前記アプリケーションソフトウエアの実行または映像ファイルの再生に基づいて前記制御信号を生成する
ことを特徴とする請求の範囲１０記載のコンピュータ装置。
【請求項１２】
外部から入力される制御信号に基づいて、ＴＶフォーマット映像信号とコンピュータフォーマット映像信号との入力切り替えを行う映像信号切り替え手段を備える
ことを特徴とする表示装置。
【請求項１３】
圧縮された映像信号を伸長しＴＶフォーマット映像信号を出力する映像デコード手段と、
コンピュータフォーマット映像信号を出力する映像出力手段と、
前記ＴＶフォーマット映像信号と前記コンピュータフォーマット映像信号との切り替えを指示する制御信号を生成する制御信号生成手段と、
前記制御信号に基づいて、前記ＴＶフォーマット映像信号と前記コンピュータフォーマット映像信号との切り替えを行い、いずれか一方の前記映像信号を外部に対して出力する映像信号切り替え手段を備える
ことを特徴とするコンピュータ装置。
【請求項１４】
コンピュータ装置が出力する映像信号を表示装置で表示するための映像表示方法であって、
圧縮された映像信号を伸長しＴＶフォーマット映像信号を出力する映像デコードステップと、
コンピュータフォーマット映像信号を出力する映像出力ステップと、
前記ＴＶフォーマット映像信号および前記コンピュータフォーマット映像信号それぞれの出力指示を検知する検知ステップと、
前記検知ステップの検知結果に基づいて、前記ＴＶフォーマット映像信号と前記コンピュータフォーマット映像信号との切り替えを外部に対して指示する制御信号を生成する制御信号生成ステップと
を含むことを特徴とする映像表示方法。
【請求項１５】
前記映像表示方法は、さらに、記録媒体に保持され、圧縮された映像信号の映像ファイル名、およびアプリケーションソフトウエアのファイル名が記載されたプレイリストに基づいて、アプリケーションソフトウエアの実行および映像ファイルの再生を行うプレイリスト制御ステップを含み、
前記映像出力ステップでは、アプリケーションソフトウエアの実行によりコンピュータフォーマット映像信号を出力し、
前記制御信号生成ステップでは、前記プレイリスト制御ステップで行われた前記アプリケーションソフトウエアの実行または映像ファイルの再生に基づいて前記制御信号を生成する
ことを特徴とする請求の範囲１４記載の映像表示方法。
【請求項１６】
コンピュータ装置が出力する映像信号を表示装置で表示するためのプログラムであって、
請求の範囲１４または１５記載の映像表示方法におけるステップをコンピュータ装置に実行させることを特徴とするプログラム。
【請求項１７】
請求の範囲６、７、９のいずれか１項に記載のプレイリストが記録された
ことを特徴とする記録媒体。
【発明の詳細な説明】
技術分野
本発明は、ＴＶ映像信号と、コンピュータ装置で表示される映像信号とを表示する、コンピュータ表示システムに関するものである。
背景技術
近年、パーソナルコンピュータの普及と、ＰＤＰ（プラズマディスプレイパネル）等の大画面ディスプレイの商品化により、パーソナルコンピュータのディスプレイとして大画面ディスプレイを用いて、店頭等でディスプレイを行うパーソナルコンピュータ表示システムが実用化されつつある。
このパーソナルコンピュータ表示システムは、パーソナルコンピュータにおいて、プレゼンテーションソフトウエアや、Ｗｅｂブラウザー等のアプリケーションソフトウエアを実行させ、その表示を大画面ディスプレイで行うものであり、新しい宣伝媒体となりつつある。
またこの宣伝媒体は、ＳＤＴＶやＨＤＴＶ等のＴＶフォーマットの映像信号の表示を行うことも多く、この場合、映像信号の信号源としてはＶＴＲやＤＶＤ、ＣＤ−Ｒ／ＲＷ等の光ディスクが多く用いられる。
図１は従来のパーソナルコンピュータ表示システムの構成図である。
このパーソナルコンピュータ表示システムは、パーソナルコンピュータ１００１、ＶＴＲ１０１０、および表示装置１０１１を備えた構成である。パーソナルコンピュータ１００１は、ＣＰＵ１００２、システムメモリ１００３、ホスト−ＰＣＩブリッジ１００４、グラフィクスコントローラ１００５、ハードディスクドライブ１００６、ペリフェラルコントローラ１００７、キーボード１００８、およびマウス１００９を備えている。また、表示装置１０１１は、入力切り替え部１０１２、およびモニタ１０１３を備えている。
以下図１を用いて、従来のパーソナルコンピュータ表示システムについて説明する。
まず、アプリケーションソフトウエアのひとつであるプレゼンテーションソフトウエアを実行し、ディスプレイに表示する場合を説明する。プレゼンテーションソフトウエアを実行する場合には、下記のように実行される。
使用者はキーボード１００８、マウス１００９の操作によって、ペリフェラルコントローラ１００７及びホスト−ＰＣＩブリッジ１００４を介してＣＰＵ１００２に対して、プレゼンテーションソフトウエアのプログラムの実行を指示する。
次にＣＰＵ１００２はホスト−ＰＣＩブリッジ１００４を介して、ハードディスクドライブ１００６よりプログラムを読み出し、システムメモリ１００３に必要なデータを随時配置し、ＣＰＵ１００２の処理によって実行する。
さらにプレゼンテーションの実行を行う場合には、同様に、使用者の操作によりＣＰＵ１００２がハードディスクドライブ１００６より記述済みのプレゼンテーションのコンテンツファイルを読み出し、システムメモリ１００３に必要な部分を配置して実行を行う。そしてプレゼンテーションソフトウエア（アプリケーションプログラム）で、コンテンツファイルの再生を行う。
出力される映像信号の生成は、ＣＰＵ１００２とグラフィックコントローラ１００５で実行され、グラフィックコントローラ１００５から、コンピュータフォーマット映像信号として、外部に対してＶＧＡ、ＳＶＧＡ、ＸＧＡ等の映像フォーマットで出力され、表示装置１０１１に入力される。
表示装置１０１１では、コンピュータのビデオ信号であるＶＧＡ、ＳＶＧＡ、ＸＧＡ等のコンピュータフォーマット映像信号用入力端子と、ＴＶ信号フォーマット用入力端子は別に設けられている。グラフィックコントローラ１００５からの出力を表示させる場合には、リモコン（図示せず）等の操作によって、入力切り替え部１０１２に対してグラフィックコントローラ１００５の出力である、コンピュータフォーマット映像信号を選択させるようにする。
入力切り替え部１０１２に入力され、入力切り替え部１０１２で選択された映像信号はモニタ１０１３に入力され表示される。
また、ＴＶフォーマット映像信号の表示を行わせる場合には、ＶＴＲ１０１０が必要となる。リモコン等により、ＶＴＲの操作を行い、ビデオの再生を行わせる。
ビデオの再生を行わせる場合は、リモコン等の操作によって、入力切り替え部１０１２に対してＶＴＲ１０１０の出力を選択させるようにする。ＶＴＲ１０１０より出力された映像信号は、入力切り替え部１０１２に入力される。入力切り替え部１０１２は、パーソナルコンピュータ１００１から出力される、グラフィックコントローラ１００５の出力信号との選択出力を行う。選択された映像信号は、モニタ１０１３に出力されて表示される。
コンピュータフォーマット映像信号とＴＶフォーマット映像信号の両方を再生するためには、図１のようにパーソナルコンピュータ１００１の他にＴＶフォーマット映像信号を出力可能なＶＴＲ１０１０等が必要となり、表示のための信号源として少なくとも２つの装置が必要となってくる。
また一方で、パーソナルコンピュータ１００１とＶＴＲ１０１０間の制御ができないために、パーソナルコンピュータ１００１のアプリケーションソフトウエアの映像表示とＶＴＲ１０１０の映像表示の連携が取れず、プレゼンテーションソフトウエアと映像信号を最適な時間位置で切り替えたり、ＴＶフォーマット映像信号で１本の番組を再生後に、１つのプレゼンテーションソフトのコンテンツの再生を開始したり等、コンテンツの再生の詳細なコントロールを行うことができないという問題がある。
また操作においては、パーソナルコンピュータ１００１、ＶＴＲ１０１０、表示装置１０１１と３つの装置のコントロールが必要であり、操作が煩雑である。
本発明は、映像デコードをＣＰＵより制御できるようし、またＴＶフォーマット映像信号とコンピュータフォーマット映像信号の連携を行えるようにし、かつ、表示装置の入力切り替えができるようにすることにより、パーソナルコンピュータだけへの操作により、使用者の意図した通りに、プレゼンテーションコンテンツならびに映像コンテンツの再生を行うことができるようにすることを目的とする。
本発明はまた、映像信号の信号源を、パーソナルコンピュータの内部に配置することにより、信号源を一台の装置にすることができるようにすることを目的とする。
発明の開示
本発明に係るコンピュータ表示システムは、コンピュータ装置と表示装置とを備えたコンピュータ表示システムであって、前記コンピュータ装置は、圧縮された映像信号を伸長しＴＶフォーマット映像信号を出力する映像デコード手段と、コンピュータフォーマット映像信号を出力する映像出力手段と、前記ＴＶフォーマット映像信号と前記コンピュータフォーマット映像信号との切り替えを外部に対して指示する制御信号を生成する制御信号生成手段とを備え、前記表示装置は、前記コンピュータ装置から出力される前記制御信号に基づいて、ＴＶフォーマット映像信号とコンピュータフォーマット映像信号との入力切り替えを行う映像信号切り替え手段を備えることを特徴とする。
これによって、コンピュータ装置が出力する映像信号に応じて制御信号が出力されるので、表示装置は、その制御信号に基づいてＴＶフォーマット映像信号とコンピュータフォーマット映像信号とを切り替えて出力することが可能となる。
ここで、前記コンピュータ装置は、さらに、記録媒体に保持され、圧縮された映像信号の映像ファイル名、およびアプリケーションソフトウエアのファイル名が再生項目として記載されたプレイリストに基づいて、アプリケーションソフトウエアの実行および映像ファイルの再生を行うプレイリスト制御手段を備え、前記映像出力手段は、アプリケーションソフトウエアの実行によりコンピュータフォーマット映像信号を出力し、前記制御信号生成手段は、前記プレイリスト制御手段が行った前記アプリケーションソフトウエアの実行または映像ファイルの再生に基づいて前記制御信号を生成してもよい。これによって、プレイリストに基づいて、アプリケーションソフトウエアの実行および映像ファイルの再生が行われ、表示装置は、それに応じてＴＶフォーマット映像信号とコンピュータフォーマット映像信号とを切り替えて出力することできる。
なお、本発明は、このようなコンピュータ表示システムとして実現することができるだけでなく、コンピュータ装置、表示装置としてそれぞれ実現したり、また、このようなコンピュータ表示システムが備える特徴的な手段をステップとする映像表示方法として実現したり、それらのステップをコンピュータ装置に実行させるプログラムとして実現したりすることもできる。そして、そのようなプログラムは、ＣＤ−ＲＯＭ等の記録媒体やインターネット等の伝送媒体を介して配信することができるのは言うまでもない。また、コンピュータ表示システムで用いるプレイリストが記録された記録媒体として実現することもできる。
発明を実施するための最良の形態
以下、本発明の実施の形態について図面を参照しながら説明する。
（第１の実施形態）
図２は本発明の第１の実施形態に係るパーソナルコンピュータ表示システムの構成を示すブロック図である。
このパーソナルコンピュータ表示システムは、アプリケーションソフトウエア等により出力される映像、およびＴＶ映像コンテンツの映像を表示するシステムであり、パーソナルコンピュータ１０１、および表示装置１１３を備えた構成である。パーソナルコンピュータ１０１は、ＣＰＵ１０２、システムメモリ１０３、制御信号生成部１０４、ホスト−ＰＣＩブリッジ１０５、グラフィクスコントローラ１０６、ハードディスクドライブ１０７、ＭＰＥＧデコーダ１０９、ペリフェラルコントローラ１１０、キーボード１１１、およびマウス１１２を備えている。また、表示装置１１３は、入力切り替え部１１４、およびモニタ１１５を備えている。
ハードディスクドライブ１０７には、オペレーティングシステムソフトウエア、およびＴＶフォーマット映像再生アプリケーションプログラム（以下、映像再生アプリケーションという）、プレゼンテーションソフトウエア（以下、プレゼンテーションアプリケーションという）等のアプリケーションプログラムが格納されている。
制御信号生成部１０４は、映像再生アプリケーションにより出力されるＴＶフォーマット映像信号と、プレゼンテーションアプリケーションにより出力されるコンピュータフォーマット映像信号との切り替えを外部に対して指示する制御信号を生成する。ここで、コンピュータフォーマット映像信号は、例えばＶＧＡ、ＳＶＧＡ、ＸＧＡ等の映像フォーマットで出力されるアナログＲＧＢ信号、デジタルＲＧＢ信号等の映像信号である。
＜ＴＶフォーマット映像信号を出力する場合＞
まず使用者の操作により、ＴＶ映像コンテンツの再生を行う操作について説明を行う。
使用者はキーボード１１１及びマウス１１２の操作によりハードディスクドライブ１０７から、映像再生アプリケーションを起動する。次に使用者は起動された映像再生アプリケーションにより、ハードディスクドライブ１０７に記録されているＴＶ映像コンテンツのファイルの選択を行う。
次に使用者はキーボード１１１及びマウス１１２の操作により起動された映像再生アプリケーションによりハードディスクドライブに記録されているＴＶ映像コンテンツの再生操作を行う。
なお、このとき、再生を行うＴＶ映像コンテンツはＭＰＥＧ２で圧縮されているものとする。
この操作により、ＣＰＵ１０２は、ホスト−ＰＣＩブリッジ１０５、ペリフェラルコントローラ１１０を介して制御信号生成部１０４に、ＴＶフォーマット映像信号を選択させる入力切り替え信号を発生するように指示する。この指示により制御信号生成部１０４は、表示装置１１３に対してコンピュータフォーマット映像信号とＴＶフォーマット映像信号とを切り替えるための入力切り替え信号を出力する。
同時に、ＣＰＵ１０２は、ハードディスクドライブ１０７から圧縮された映像信号を読み出し、ＭＰＥＧデコーダ１０９に転送を行う。ＭＰＥＧデコーダ１０９は、転送された圧縮映像信号の伸長を行い、ＴＶフォーマット映像信号を表示装置１１３に出力する。
表示装置１１３では、入力切り替え部１１４が入力切り替え信号に基づいてＴＶフォーマット映像信号を選択し、モニタ１１５にＴＶフォーマット映像信号の表示が行われる。
＜コンピュータフォーマット映像信号を出力する場合＞
次に使用者の操作によって、プレゼンテーションアプリケーションの起動を行い、プレゼンテーションファイル（再生ファイル）の表示を行う方法について説明を行う。
使用者はキーボード１１１及びマウス１１２の操作によりハードディスクドライブ１０７より、プレゼンテーションアプリケーションを起動する。次に使用者は起動されたプレゼンテーションアプリケーションにより、プレゼンテーションファイルの選択と再生を行う。このとき、アプリケーションプログラムの実行操作により、ＣＰＵ１０２は、ホスト−ＰＣＩブリッジ１０５、ペリフェラルコントローラ１１０を介して制御信号生成部１０４に、グラフィックコントローラ１０６が出力するコンピュータフォーマット映像信号を選択させる入力切り替え信号を発生するように指示する。この指示により制御信号生成部１０４は、表示装置１１３に対してコンピュータフォーマット映像信号とＴＶフォーマット映像信号とを切り替えるための入力切り替え信号を出力する。
プレゼンテーションファイルの再生動作により、ＣＰＵ１０２とグラフィックコントローラ１０７は、コンピュータフォーマット映像信号の生成を行い、表示装置１１３に出力する。
表示装置１１３では、入力切り替え部１１４が入力切り替え信号に基づいてコンピュータフォーマット映像信号を選択し、モニタ１１５にコンピュータフォーマット映像信号の表示が行われる。
以上の様に、使用者が、映像再生アプリケーションを動作させる場合には、制御信号生成部１０４から入力切り替え部１１４に、ＭＰＥＧデコーダ１０９の出力を選択させるように指示し、またコンピュータフォーマットの映像信号を出力させるアプリケーション再生時にはグラフィックコントローラ１０６の出力するコンピュータフォーマット映像信号を選択させるようにすることが可能となる。
以上のように、本発明の実施形態によれば、使用者がパーソナルコンピュータ１０１と表示装置１１３の両方の操作を行うことなく、コンピュータフォーマット映像信号の表示および、ＴＶフォーマット映像信号の表示のいずれかを選択して表示させることができ、パーソナルコンピュータと表示装置の、両方の装置の操作を行うことなく、パーソナルコンピュータの操作のみでコントロールを行うことができる。
また、ＴＶフォーマット映像信号を発生させるＶＴＲ等の装置とパーソナルコンピュータについて２台の装置を用いることなく、一台の装置でＴＶフォーマット映像信号とＶＧＡ，ＳＶＧＡ，ＸＧＡ等のコンピュータ画面の出力信号であるコンピュータフォーマット映像信号を出力させることができ、低コストで省スペースな装置を実現することができる。
なお、上記の実施形態においては、アプリケーションプログラムとして、プレゼンテーションアプリケーションの例を示したが、再生するファイルがＨＴＭＬファイル等であるＷｅｂブラウザー等のコンピュータソフトウエアであってもよく、コンピュータ画面に文字、図面、写真を表示することが主機能のコンピュータソフトウエアであってもよい。
また、上記の実施形態においては、制御信号生成部１０４は、ペリフェラルコントローラ１１０を介してＣＰＵ１０２と接続されているが、制御信号生成部１０４が、ＰＣＩボードの形態で、ＰＣＩバスに直接接続されており、ホスト−ＰＣＩブリッジ１０５を介して、ＣＰＵ１０２と接続される構成でもよい。
また、上記の実施形態においては、ビデオデコードをおこなうハードウエアはＭＰＥＧ（Ｍｏｖｉｎｇ  Ｐｉｃｔｕｒｅ  Ｅｘｐｅｒｔｓ  Ｇｒｏｕｐ）２のデコーダとしたが、例えば、ＭＰＥＧ４等の他の映像圧縮符号化のデコーダで、パーソナルコンピュータ内部に記録されたＴＶ映像コンテンツがＭＰＥＧ４等の他のビデオ符号化されたＴＶ映像コンテンツでもよい。
また、本実施の形態では、表示装置１１３に入力切り替え部１１４を備える構成としているが、これに限られるものではなく、パーソナルコンピュータ１０１に入力切り替え部１１４を備える構成とすることもできる。
（第２の実施形態）
図３は本発明の第２の実施形態であるパーソナルコンピュータ表示システムの構成を示すブロック図、図４は本発明の実施形態であるパーソナルコンピュータ表示システムで用いるプレイリストファイルを示す図、図５は本発明の実施形態であるパーソナルコンピュータ表示システムの動作を示すフローチャートである。
本発明のパーソナルコンピュータ表示システムの第２の実施形態について、図３から図５を用いて説明する。図３において、図２と同様の構成については、同じ符号を付し説明を省略する。図３に示す光ディスクドライブ１０８には、本実施の形態２で使用するプレイリスト等が記録された光ディスクが格納されている。ここで、プレイリストは、再生表示を行うファイルのリストであり、ＴＶ映像コンテンツのファイル名、およびアプリケーションソフトウエアのファイル名が再生項目として記載されている。
図５のフローチャートに従って、本実施の形態に係るパーソナルコンピュータ表示システムの動作について説明する。
まず映像再生アプリケーション（ＴＶフォーマットの映像信号を処理する）の起動（ステップＳ１）とプレゼンテーションアプリケーション（コンピュータフォーマット映像信号を処理する）の起動を行う（ステップＳ２）。両方のアプリケーションプログラムは、ＣＰＵ１０２によってハードディスクドライブ１０７より読み出されて、実行される。
次に、ＣＰＵ１０２は、光ディスクドライブ１０８に格納された光ディスクに記録されたプレイリストファイルを読み出す（ステップＳ３）。プレイリストファイルには図４に示すようにコンテンツが、“ＴＶ映像コンテンツ”の再生ファイル（ＴＶフォーマット映像信号）か、“プレゼンテーション”用の再生ファイル（コンピュータフォーマット映像信号）かを示すコンテンツの種類と、再生するファイル名が記載されている。
例えば、図４に示すプレイリストファイルの項目１、２はＴＶフォーマットの映像であり、項目３はコンピュータフォーマット（図４ではプレゼンテーションと記載）の映像である。
次に、ＣＰＵ１０２はプレイリストファイルについて、プレイリストファイルが終了の項目に来ているかどうかの判断を行う（ステップＳ４）。プレイリストが終了の項目に来ていれば動作を終了する。もしプレイリストの項目が終了の部分に来ていなかったら、ＣＰＵ１０２はプレイリストに記述されている、コンテンツの種類の部分を読み込み、再生するコンテンツの種類が“プレゼンテーション”であるかどうかを判断する（ステップＳ５）。
もしコンテンツの種類が“プレゼンテーション”であれば、ＣＰＵ１０２は、制御信号生成部１０４に、コンピュータフォーマット映像信号を選択させる入力切り替え信号を発生するように指示する。この指示により制御信号生成部１０４は、表示装置１１３に対してコンピュータフォーマット映像信号を選択させる入力切り替え信号を出力する。表示装置１１３の入力切り替え部１１４は、グラフィックコントローラ１０６から出力されるコンピュータフォーマット映像信号を選択し、モニタ１１５に出力させる（ステップＳ８）。
次にＣＰＵ１０２は、光ディスクドライブ１０８内部に格納されている光ディスクに記録されたプレゼンテーションアプリケーションの再生ファイルについての読み出しを行いながら、プレゼンテーションアプリケーションの実行を行う。ＣＰＵ１０２とグラフィックコントローラ１０６は、コンピュータフォーマット映像信号の生成を行い、グラフィックコントローラ１０６の出力信号として出力を行う。出力された信号は入力切り替え部１１４を経由してモニタ１１５に出力される（ステップＳ９）。ＣＰＵ１０２は、プレゼンテーションアプリケーションによる再生ファイルの再生が終了すれば、後はプレイリストの項目番号を一つ進める（ステップＳ１０）。その後、プレイリストファイルが終了の項目に来ているかどうかの判断処理（ステップＳ４）に戻る。
一方、再生するコンテンツの種類が“プレゼンテーション”であるかどうかの判断処理（ステップＳ５）において、コンテンツの種類が“ＴＶ映像コンテンツ”である場合には、ＣＰＵ１０２は、制御信号生成部１０４に、ＴＶフォーマット映像信号を選択させる入力切り替え信号を発生するように指示する。この指示により制御信号生成部１０４は、表示装置１１３に対してＴＶフォーマット映像信号を選択させる入力切り替え信号を出力する。表示装置１１３の入力切り替え部１１４は、ＭＰＥＧデコーダ１０９から出力されるＴＶフォーマット映像信号を選択し、モニタ１１５に出力させる（ステップＳ６）。
次に、ＣＰＵ１０２は、ハードディスクドライブ１０７から圧縮された映像信号を読み出し、ＭＰＥＧデコーダ１０９に転送を行う。ＭＰＥＧデコーダ１０９は、転送された圧縮映像信号の伸長を行い、ＴＶフォーマット映像信号を表示装置１１３に出力する（ステップＳ７）。ＣＰＵ１０２は、ＴＶ映像コンテンツの再生ファイルの再生が終了すれば、プレイリストの項目番号を一つ進める（ステップＳ１０）。その後、プレイリストファイルが終了の項目に来ているかどうかの判断処理（ステップＳ４）に戻る。
以上のように本実施の形態２によれば、本発明の第１の実施形態から、更に、プレイリストファイルを用いた、プログラム再生を可能とすることにより、使用者の操作によらない、自動再生機能をもつことができる。
また、第１の実施形態と同様に、ＴＶ映像コンテンツの再生か、パーソナルコンピュータのアプリケーションの再生かにより、表示装置を切り替える機能を具備し、表示装置のプログラム操作も可能としている。
なお、光ディスクドライブ１０８で読み出しを行う光ディスクファイルは、図４に示すプレイリストと、プレゼンテーションアプリケーションの再生ファイル、さらにはＴＶ映像コンテンツの再生ファイルが記載されている。
このため、第２の実施形態で示された構成のパーソナルコンピュータ表示システムが用意されている場合、その光ディスクを挿入することだけで、予定されたファイルのプログラム再生が可能となる。このため離れた場所で製作されたコンテンツの配布、転送がやりやすくなり、かつ、使用者につかいやすいパーソナルコンピュータ表示システムを提供することが出来る。
また、上記の実施形態においては、アプリケーションプログラムとして、プレゼンテーションアプリケーションの例を示したが、再生するファイルがＨＴＭＬファイル等であるＷｅｂブラウザー等のコンピュータソフトウエアであってもよく、コンピュータ画面に文字、図面、写真を表示することが主機能のコンピュータソフトウエアであってもよい。
また、上記の実施形態においては、プレイリストファイル、プレゼンテーションアプリケーション再生ファイル、ＴＶ映像コンテンツは光ディスクドライブに格納された光ディスクに記録されているものとしたが、これがハードディスクドライブに格納されていても、効果は同じである。
また、上記の実施形態においては、制御信号生成部１０４は、ペリフェラルコントローラ１１０を介してＣＰＵ１０２と接続されているが、制御信号生成部１０４が、ＰＣＩボードの形態で、ＰＣＩバスに直接接続されており、ホスト−ＰＣＩブリッジ１０５を介して、ＣＰＵ１０２と接続される構成でもよい。
また、上記の実施形態においては、ビデオデコードをおこなうハードウエアはＭＰＥＧ２のデコーダとしたが、例えば、ＭＰＥＧ４等の他の映像圧縮符号化のデコーダで、パーソナルコンピュータ内部に記録されたＴＶ映像コンテンツがＭＰＥＧ４等の他のビデオ符号化されたＴＶ映像コンテンツでもよい。
また、本実施の形態では、表示装置１１３に入力切り替え部１１４を備える構成としているが、これに限られるものではなく、パーソナルコンピュータ１０１に入力切り替え部１１４を備える構成とすることもできる。
（第３の実施形態）
本発明の第３の実施形態に係るパーソナルコンピュータ表示システムについて、図６から図８を用いて説明する。図６は本発明の第３の実施形態のパーソナルコンピュータ表示システムの構成を示すブロック図、図７は本発明の第３の実施形態のパーソナルコンピュータ表示システムで用いるプレイリストファイルを示す図、図８は本発明の第３の実施形態のパーソナルコンピュータ表示システムの動作を示すフローチャートである。
このパーソナルコンピュータ表示システムは、アプリケーションソフトウエア等により出力される映像、およびＴＶ映像コンテンツの映像を表示するシステムであり、パーソナルコンピュータ４０１、および表示装置４１４を備えた構成である。パーソナルコンピュータ４０１は、ＣＰＵ４０２、システムメモリ４０３、制御信号生成部４０４、ホスト−ＰＣＩブリッジ４０５、グラフィクスコントローラ４０６、ハードディスクドライブ４０７、光ディスクドライブ４０８、ＭＰＥＧデコーダ４０９、ペリフェラルコントローラ４１０、キーボード４１１、マウス４１２、および時間計測部４１３を備えている。また、表示装置４１４は、入力切り替え部４１５、およびモニタ４１６を備えている。
ハードディスクドライブ４０７には、オペレーティングシステムソフトウエア、および映像再生アプリケーション、プレゼンテーションアプリケーション等のアプリケーションプログラムが格納されている。
本実施の形態のパーソナルコンピュータ表示システムは、時間計測部４１３を備え、プレイリストファイルに再生開始時間、再生終了時間を記載することで、再生の開始および終了を時間で管理している。
図８のフローチャートにしたがって、本発明のパーソナルコンピュータ表示システムの動作について説明する。
まず映像再生アプリケーションの起動（ステップＳ１１）とプレゼンテーションアプリケーションの起動を行う（ステップＳ１２）。両方のアプリケーションプログラムは、ＣＰＵ４０２によってハードディスクドライブ４０７より読み出されて実行される。次に、ＣＰＵ４０２は、光ディスクドライブ４０８に格納された光ディスクに記録された、プレイリストファイルを読み出す（ステップＳ１３）。プレイリストファイルは図７に示すように、コンテンツが、“ＴＶ映像コンテンツ”の再生ファイルか、“プレゼンテーション”用の再生ファイルかを示すコンテンツの種類と、再生するファイル名、再生開始時間、再生終了時間が記載されている。
次に、ＣＰＵ４０２はプレイリストファイルについて、プレイリストファイルが終了の項目に到達しているかどうかの判断を行う（ステップＳ１４）。プレイリストが終了の項目に来ていれば、プレイリストファイルの再生動作を終了する。もしプレイリストの項目が終了まで来ていなかったら、ＣＰＵ４０２は、開始時間に到達しているかどうかの判断を行う（ステップＳ１５）。開始時間に到達していなかったら、到達時間に達するまで、次の状態に遷移せずに待つ。
開始時間に到達していたら、ＣＰＵ４０２は、プレイリストに記述されている、コンテンツの種類の部分を読み込み、再生するコンテンツの種類が“プレゼンテーション”であるかどうかを判断する（ステップＳ１６）。ここで、コンテンツの種類が“プレゼンテーション”であれば、ＣＰＵ４０２は、制御信号生成部４０４に、コンピュータフォーマット映像信号を選択させる入力切り替え信号を発生するように指示する。この指示により制御信号生成部４０４は、表示装置４１４に対してコンピュータフォーマット映像信号を選択させる入力切り替え信号を出力する。表示装置４１４の入力切り替え部４１５は、グラフィックコントローラ４０６から出力されるコンピュータフォーマット映像信号を選択し、モニタ４１６に出力させる（ステップＳ２２）。
次にＣＰＵ４０２は、光ディスクドライブ４０８内部に格納されている光ディスクに記録されたプレゼンテーションアプリケーションの再生ファイルについての読み出しを行いながら、プレゼンテーションアプリケーションの実行を行う。ＣＰＵ４０２とグラフィックコントローラ４０６は、コンピュータフォーマット映像信号の生成を行い、グラフィックコントローラ４０６より出力を行う。出力されたコンピュータフォーマット映像信号は入力切り替え部４１５を経由してモニタ４１６に出力される（ステップＳ２３）。
次に、ＣＰＵ４０２は、終了時間まで達しているかどうかの確認を行う。ここで、終了時間に達しているかどうかについては、ＣＰＵ４０２は、時間計測部４１３より時間情報を取得して判断する（ステップＳ２４）。ＣＰＵ４０２は、プレゼンテーションアプリケーションによる再生ファイルの再生が終了時間まで達したら、その再生ファイルの再生を終了させる（ステップＳ２５）。そして、プレイリストの項目番号を一つ進める（ステップＳ２６）。その後、プレイリストファイルが終了の項目に到達しているかどうかの判断処理（ステップＳ１４）に戻る。
一方、再生するコンテンツの種類が“プレゼンテーション”であるかどうかの判断処理（ステップＳ１６）において、コンテンツの種類が“ＴＶ映像コンテンツ”である場合には、ＣＰＵ４０２は、制御信号生成部４０４に、ＴＶフォーマット映像信号を選択させる入力切り替え信号を発生するように指示する。この指示により制御信号生成部４０４は、表示装置４１４に対してＴＶフォーマット映像信号を選択させる入力切り替え信号を出力する。表示装置４１４の入力切り替え部４１５は、ＭＰＥＧデコーダ４０９から出力されるＴＶフォーマット映像信号を選択し、モニタ４１６に出力させる（ステップＳ１７）。
次に、ＣＰＵ４０２は、光ディスクドライブ４０８内部に格納されている光ディスクに記録されたＴＶ映像コンテンツの再生ファイルから圧縮された映像信号を読み出し、ＭＰＥＧデコーダ４０９に転送を行う。ＭＰＥＧデコーダ４０９は、転送された圧縮映像信号の伸長を行い、ＴＶフォーマット映像信号を表示装置４１４に出力する（ステップＳ１８）。
次に、ＣＰＵ４０２は、終了時間まで達しているかどうかの確認を行う。ここで、終了時間に達しているかどうかについては、ＣＰＵ４０２は、時間計測部４１３より時間情報を取得して判断する（ステップＳ１９）。ＣＰＵ４０２は、ＴＶ映像コンテンツの再生が終了時間に達したら、そのＴＶ映像コンテンツの再生を終了させる（ステップＳ２０）。そして、プレイリストの項目番号を一つ進める（ステップＳ２１）。その後、プレイリストファイルが終了の項目に到達しているかどうかの判断処理（ステップＳ１４）に戻る。
上記のように、本発明は、第２の実施形態に加えて、さらに時間情報に基づくプログラム再生機能をもつことにより、時間に合わせた再生機能をもつことができる。
なお、光ディスクドライブ４０８において再生を行なう光ディスクファイルは、図７に示すプレイリストと、アプリケーションプログラムで実行する実行ファイル、さらには映像コンテンツファイルが記載されている。
このため、第２の実施形態で示された構成のパーソナルコンピュータ表示システムが用意されている場合、その光ディスクを挿入することだけで、予定されたファイルのプログラム再生が可能となる。このため離れた場所で製作されたコンテンツの配布、転送がやりやすくなり、かつ、使用者に使いやすいパーソナルコンピュータ表示システムを提供することが出来る。
なお、上記の実施形態においては、プレイリストファイル、プレゼンテーションアプリケーション再生ファイル、ＴＶ映像コンテンツは光ディスクドライブに格納された光ディスクに記録されているものとしたが、これがハードディスクドライブに格納されていても、効果は同じである。
また、上記の実施形態においては、アプリケーションプログラムとして、プレゼンテーションアプリケーションの例を示したが、再生するファイルがＨＴＭＬファイル等であるＷｅｂブラウザー等のコンピュータソフトウエアであってもよく、コンピュータ画面に文字、図面、写真を表示することが主機能のコンピュータソフトウエアであってもよい。
また、上記の実施形態においては、制御信号生成部４０４は、ペリフェラルコントローラ４１０を介してＣＰＵ４０２と接続されているが、制御信号生成部４０４が、ＰＣＩボードの形態で、ＰＣＩバスに直接接続されており、ホスト−ＰＣＩブリッジ４０５を介して、ＣＰＵ４０２と接続される構成でもよい。
また、上記の実施形態においては、ビデオデコードをおこなうハードウエアはＭＰＥＧ２のデコーダとしたが、例えば、ＭＰＥＧ４等の他の映像圧縮符号化のデコーダで、パーソナルコンピュータ内部に記録されたＴＶ映像コンテンツがＭＰＥＧ４等の他のビデオ符号化されたＴＶ映像コンテンツでもよい。
また、本実施の形態では、表示装置４１４に入力切り替え部４１５を備える構成としているが、これに限られるものではなく、パーソナルコンピュータ４０１に入力切り替え部４１５を備える構成とすることもできる。
（第４の実施形態）
本発明の第４の実施形態に係るパーナルコンピュータ表示システムについて、図９から図１１を用いて説明する。
図９は本発明の第４の実施形態のパーソナルコンピュータ表示システムの構成を示すブロック図である。図１０は本発明の第４の実施形態のパーソナルコンピュータ表示システムで用いるプレイリストファイルを示す図である。図１１は本発明の第４の実施形態のパーソナルコンピュータ表示システムの動作を示すフローチャートである。
このパーソナルコンピュータ表示システムは、アプリケーションソフトウエア等により出力される映像、ＴＶ映像コンテンツおよびＴＶ放送の映像を表示するシステムであり、パーソナルコンピュータ７０１、および表示装置７１６を備えた構成である。パーソナルコンピュータ７０１は、ＣＰＵ７０２、システムメモリ７０３、制御信号生成部７０４、ホスト−ＰＣＩブリッジ７０５、グラフィクスコントローラ７０６、ハードディスクドライブ７０７、光ディスクドライブ７０８、ＭＰＥＧデコーダ７０９、ペリフェラルコントローラ７１０、キーボード７１１、マウス７１２、時間計測部７１３、チューナ部７１４、およびチューナ信号入力部７１５を備えている。また、表示装置７１６は、入力切り替え部７１７、およびモニタ７１８を備えている。
ハードディスクドライブ７０７には、オペレーティングシステムソフトウエア、および映像再生アプリケーション、プレゼンテーションアプリケーション等のアプリケーションプログラムが格納されている。
チューナ部７１４は、チューナ信号入力部７１５より入力されるＴＶ信号の復調を行っている。
図１１のフローチャートにしたがって、本発明のパーソナルコンピュータ表示システムの動作について説明する。
まずパーソナルコンピュータの起動と同時に、映像再生アプリケーションの起動（ステップＳ２７）とプレゼンテーションアプリケーションの起動を行う（ステップＳ２８）。両方のアプリケーションプログラムは、ＣＰＵ７０２がハードディスクドライブ７０７より読み出すことにより実行される。次に、ＣＰＵ７０２は、光ディスクに記録されたプレイリストファイルを読み出す（ステップＳ２９）。この読み出しは、必要な部分はシステムメモリ７０３に転送されて、ＣＰＵ７０２がデータを認識する。プレイリストファイルは図１０に示すように、コンテンツが、映像再生アプリケーションの再生ファイルか、プレゼンテーション用の再生ファイルか、ＴＶ放送の表示かを示すコンテンツの種類と、再生するファイル名、再生開始時間、再生終了時間が記載されている。
次に、ＣＰＵ７０２はプレイリストファイルについて、プレイリストファイルが終了の項目に到達しているかどうかの判断を行う（ステップＳ３０）。プレイリストの項目が終了の項目に来ていれば、プレイリストファイルの再生動作を終了する。もしプレイリストの項目が終了まで来ていなかったら、ＣＰＵ７０２は、開始時間に到達しているかどうかの判断を行う（ステップＳ３１）。開始時間に到達していなかったら、到達時間に達するまで、次の状態に遷移せずに待つ。
開始時間に到達していたら、ＣＰＵ７０２は、プレイリストに記述されている、コンテンツの種類の部分を読み込み、再生するコンテンツの種類が“プレゼンテーション”であるかどうかを判断する（ステップＳ３２）。ここで、コンテンツの種類が“プレゼンテーション”であれば、ＣＰＵ７０２は、制御信号生成部７０４に、コンピュータフォーマット映像信号を選択させる入力切り替え信号を発生するように指示する。この指示により制御信号生成部７０４は、表示装置７１６に対してコンピュータフォーマット映像信号を選択させる入力切り替え信号を出力する。表示装置７１６の入力切り替え部７１７は、グラフィックコントローラ７０６から出力されるコンピュータフォーマット映像信号を選択し、モニタ７１８に出力させる（ステップＳ３３）。
次にＣＰＵ７０２は、プレイリストファイルに従い、光ディスクドライブ７０８内部に格納されている光ディスクに記録されたプレゼンテーションアプリケーションの再生ファイルについての読み出しを行いながら、プレゼンテーションアプリケーションの実行を行う。ＣＰＵ７０２とグラフィックコントローラ７０６は、コンピュータフォーマット映像信号の生成を行い、グラフィックコントローラ７０６より出力を行う。
出力されたコンピュータフォーマット映像信号は入力切り替え部７１７を経由してモニタ７１８に出力される（ステップＳ３４）。
次に、ＣＰＵ７０２は、終了時間まで達しているかどうかの確認を行う。ここで、終了時間に達しているかどうかについては、ＣＰＵ７０２は、時間計測部７１３より時間情報を取得して判断する（ステップＳ３５）。ＣＰＵ７０２は、プレゼンテーションアプリケーションによる再生ファイルの再生が終了時間まで達したら、その再生ファイルの再生を終了させる（ステップＳ３６）。そして、プレイリストの項目番号を一つ進める（ステップＳ３７）。その後、プレイリストファイルが終了の項目に到達しているかどうかの判断処理（ステップＳ３０）に戻る。
一方、再生するコンテンツの種類が“プレゼンテーション”であるかどうかの判断処理（ステップＳ３４）において、コンテンツの種類が“プレゼンテーション”以外である場合には、ＣＰＵ７０２は、制御信号生成部７０４に、ＴＶフォーマット映像信号を選択させる入力切り替え信号を発生するように指示する。この指示により制御信号生成部７０４は、表示装置７１６に対してＴＶフォーマット映像信号を選択させる入力切り替え信号を出力する。表示装置７１６の入力切り替え部７１７は、ＭＰＥＧデコーダ７０９から出力されるＴＶフォーマット映像信号を選択し、モニタ７１８に出力させる（ステップＳ３８）。
次に、ＣＰＵ７０２は、プレイリストに記述されている再生するコンテンツの種類が“ＴＶ映像コンテンツ”であるかどうかを判断する（ステップＳ３９）。ここで、コンテンツの種類が“ＴＶ映像コンテンツ”である場合には、ＣＰＵ７０２は、光ディスクドライブ７０８内部に格納されている光ディスクに記録されたＴＶ映像コンテンツの再生ファイルから圧縮された映像信号を読み出し、ＭＰＥＧデコーダ７０９に転送を行う。ＭＰＥＧデコーダ７０９は、転送された圧縮映像信号の伸長を行い、ＴＶフォーマット映像信号を表示装置７１６に出力する（ステップＳ４０）。
次に、ＣＰＵ７０２は、終了時間まで達しているかどうかの確認を行う。ここで、終了時間に達しているかどうかについては、ＣＰＵ７０２は、時間計測部７１３より時間情報を取得して判断する（ステップＳ４１）。ＣＰＵ７０２は、ＴＶ映像コンテンツの再生が終了時間に達したら、そのＴＶ映像コンテンツの再生を終了させる（ステップＳ４２）。そして、プレイリストの項目番号を一つ進める（ステップＳ４３）。その後、プレイリストファイルが終了の項目に到達しているかどうかの判断処理（ステップＳ３０）に戻る。
一方、再生するコンテンツの種類が“ＴＶ映像コンテンツ”であるかどうかの判断処理（ステップＳ３９）において、コンテンツの種類が“ＴＶ映像コンテンツ”以外である場合には、チューナ信号入力部７１５より入力されるＴＶ信号をチューナ部７１４で復調を行う。ＭＰＥＧデコーダ７０９は、チューナ部７１４より入力された圧縮映像信号の伸長を行い、ＴＶフォーマット映像信号を表示装置７１６に出力する。出力されたＴＶフォーマット映像信号は入力切り替え部７１７を経由してモニタ７１８に出力される（ステップＳ４４）。
次に、ＣＰＵ７０２は、終了時間まで達しているかどうかの確認を行う。ここで、終了時間に達しているかどうかについては、ＣＰＵ７０２は、時間計測部７１３より時間情報を取得して判断する（ステップＳ４５）。ＣＰＵ７０２は、ＴＶ放送の表示の終了時間に達したら、そのＴＶ放送の表示を終了させる（ステップＳ４６）。そして、プレイリストの項目番号を一つ進める（ステップＳ４７）。その後、プレイリストファイルが終了の項目に到達しているかどうかの判断処理（ステップＳ３０）に戻る。
以上のように第３の実施形態にさらに、ＴＶ受信機能を持つことにより、すでに記録されている、ＴＶ映像コンテンツと、ＴＶ放送、さらにパーソナルコンピュータの表示を可能にする。
なお、上記の実施形態においては、プレイリストファイル、プレゼンテーションアプリケーションの再生ファイル、ＴＶ映像コンテンツは、光ディスクドライブに格納された光ディスクに記録されていたが、これがハードディスクドライブに格納されていても、効果は同じである。
また、光ディスクドライブ７０８で読み出しが行われる光ディスクには、図１０に示すプレイリストと、アプリケーションプログラムで実行する実行ファイル、さらには映像コンテンツファイルが記載されている。
このため、実施の形態４で示された構成のパーソナルコンピュータ表示システムが用意されている場合、その光ディスクを挿入することだけで、指定された時間に予定されたファイルのプログラム再生とＴＶ放送表示が可能となる。このため使用者に使いやすいシステムを提供することが可能となる。
また、上記の実施形態においては、アプリケーションプログラムとして、プレゼンテーションアプリケーションの例を示したが、再生するファイルがＨＴＭＬファイル等であるＷｅｂブラウザー等のコンピュータソフトウエアであってもよく、コンピュータ画面に文字、図面、写真を表示することが主機能のコンピュータソフトウエアであってもよい。
また、上記の実施形態においては、制御信号生成部７０４は、ペリフェラルコントローラ７１０を介してＣＰＵ７０２と接続されているが、制御信号生成部７０４が、ＰＣＩボードの形態で、ＰＣＩバスに直接接続されており、ホスト−ＰＣＩブリッジ７０５を介して、ＣＰＵ７０２と接続される構成でもよい。
また、上記の実施形態においては、ビデオデコーダはＭＰＥＧ２デコーダであるとしたが、例えば、ＭＰＥＧ４等の他の映像圧縮符号化のデコーダでも良く、またパーソナルコンピュータ内部に記録されたＴＶ映像コンテンツがＭＰＥＧ４等の他のビデオ符号化されたＴＶ映像コンテンツでもよい。
また、本実施の形態では、表示装置７１６に入力切り替え部７１７を備える構成としているが、これに限られるものではなく、パーソナルコンピュータ７０１に入力切り替え部７１７を備える構成とすることもできる。
以上のように本発明によれば、コンピュータは出力する映像信号に応じて制御信号を出力しているので、表示装置は、その制御信号に基づいてＴＶフォーマット映像信号とコンピュータフォーマット映像信号とを切り替えて出力することが可能となる。
また、加えて、プレイリストファイルを用いた、プログラム再生を可能とすることにより、使用者の操作によらない、自動再生機能をもつことも可能となる。
産業上の利用の可能性
以上のように、本発明に係るコンピュータ表示システムは、コンピュータ装置が出力するＴＶフォーマット映像信号およびコンピュータフォーマット映像信号を、例えばＰＤＰ（プラズマディスプレイパネル）等の大画面の表示装置でそれぞれの映像信号の出力動作に応じて切り替えて表示するシステムに用いるのに適している。
【図面の簡単な説明】
図１は、従来のパーソナルコンピュータ表示システムの構成を示すブロック図である。
図２は、本発明の第１の実施形態に係るパーソナルコンピュータ表示システムの構成を示すブロック図である。
図３は、本発明の第２の実施形態に係るパーソナルコンピュータ表示システムの構成を示すブロック図である。
図４は、本発明の第２の実施形態に係るパーソナルコンピュータ表示システムで用いるプレイリストファイルを示す図である。
図５は、本発明の第２の実施形態に係るパーソナルコンピュータ表示システムの動作例を示すフローチャートである。
図６は、本発明の第３の実施形態に係るパーソナルコンピュータ表示システムの構成を示すブロック図である。
図７は、本発明の第３の実施形態に係るパーソナルコンピュータ表示システムで用いるプレイリストファイルである。
図８は、本発明の第３の実施形態に係るパーソナルコンピュータ表示システムの動作例を示すフローチャートである。
図９は、本発明の第４の実施形態に係るパーソナルコンピュータ表示システムの構成を示すブロック図である。
図１０は、本発明の第４の実施形態に係るパーソナルコンピュータ表示システムで用いるプレイリストファイルを示す図である。
図１１は、本発明の第４の実施形態であるパーソナルコンピュータ表示システムの動作例を示すフローチャートである。
【図１】
2003054848.tif 000003
【図２】
2003054848.tif 000004
【図３】
2003054848.tif 000005
【図４】
2003054848.tif 000006
【図５】
2003054848.tif 000007
【図６】
2003054848.tif 000008
【図７】
2003054848.tif 000009
【図８】
2003054848.tif 000010
【図９】
2003054848.tif 000011
【図１０】
2003054848.tif 000012
【図１１】
2003054848.tif 000013
【手続補正書】
【提出日】平成15年5月26日(2003.5.26)
【手続補正１】
【補正対象書類名】明細書
【補正対象項目名】特許請求の範囲
【補正方法】変更
【補正の内容】
【特許請求の範囲】
【請求項１】
コンピュータ装置と表示装置とを備えたコンピュータ表示システムであって、
前記コンピュータ装置は、
圧縮された映像信号を伸長しＴＶフォーマット映像信号を出力する映像デコード手段と、
コンピュータフォーマット映像信号を出力する映像出力手段と、
前記ＴＶフォーマット映像信号と前記コンピュータフォーマット映像信号との切り替えを外部に対して指示する制御信号を生成する制御信号生成手段とを備え、
前記表示装置は、
前記コンピュータ装置から出力される前記制御信号に基づいて、ＴＶフォーマット映像信号とコンピュータフォーマット映像信号との入力切り替えを行う映像信号切り替え手段を備える
ことを特徴とするコンピュータ表示システム。
【請求項２】
前記コンピュータ装置は、さらに、前記ＴＶフォーマット映像信号および前記コンピュータフォーマット映像信号それぞれの出力指示を検知する検知手段を備え、
前記制御信号生成手段は、前記検知手段の検知結果に基づいて、前記制御信号を生成する
ことを特徴とする請求の範囲１記載のコンピュータ表示システム。
【請求項３】
前記検知手段は、アプリケーションソフトウエアが実行された場合に前記コンピュータフォーマット映像信号が、前記圧縮された映像信号の再生が実行された場合に前記ＴＶフォーマット映像信号が、それぞれ出力指示されたと検知する
ことを特徴とする請求の範囲２記載のコンピュータ表示システム。
【請求項４】
前記コンピュータ装置は、さらに、ＴＶ放送信号を受信するＴＶ受信手段を備え、
前記映像デコード手段は、前記ＴＶ放送信号を伸長しＴＶフォーマット映像信号を出力する
ことを特徴とする請求の範囲２記載のコンピュータ表示システム。
【請求項５】
前記検知手段は、アプリケーションソフトウエアが実行された場合に前記コンピュータフォーマット映像信号が、前記圧縮された映像信号の再生および前記ＴＶ放送信号の受信が実行された場合に前記ＴＶフォーマット映像信号が、それぞれ出力指示されたと検知する
ことを特徴とする請求の範囲４記載のコンピュータ表示システム。
【請求項６】
前記コンピュータ装置は、さらに、記録媒体に保持され、圧縮された映像信号の映像ファイル名、およびアプリケーションソフトウエアのファイル名が再生項目として記載されたプレイリストに基づいて、アプリケーションソフトウエアの実行および映像ファイルの再生を行うプレイリスト制御手段を備え、
前記映像出力手段は、アプリケーションソフトウエアの実行によりコンピュータフォーマット映像信号を出力し、
前記制御信号生成手段は、前記プレイリスト制御手段が行った前記アプリケーションソフトウエアの実行または映像ファイルの再生に基づいて前記制御信号を生成する
ことを特徴とする請求の範囲１記載のコンピュータ表示システム。
【請求項７】
前記コンピュータ装置は、さらに、記録媒体に保持され、圧縮された映像信号の映像ファイル名、アプリケーションソフトウエアのファイル名、および前記ＴＶ放送信号の受信が再生項目として記載されたプレイリストに基づいて、アプリケーションソフトウエアの実行および映像ファイルの再生を行うプレイリスト制御手段を備え、
前記映像出力手段は、アプリケーションソフトウエアの実行によりコンピュータフォーマット映像信号を出力し、
前記制御信号生成手段は、前記プレイリスト制御手段が行った前記アプリケーションソフトウエアの実行、映像ファイルの再生、または前記ＴＶ放送信号の受信に基づいて前記制御信号を生成する
ことを特徴とする請求の範囲４記載のコンピュータ表示システム。
【請求項８】
前記プレイリスト制御手段は、前記アプリケーションソフトウエアの実行時には、実行中のファイルの実行終了を検知して前記プレイリストの次の再生項目に移行し、前記映像ファイルの再生の実行時には、実行中の映像ファイルの再生の終了を検知して次の再生項目に移行する
ことを特徴とする請求の範囲６または請求の範囲７記載のコンピュータ表示システム。
【請求項９】
前記プレイリストは、再生開始時刻と再生終了時刻に関する時間情報を更に含み、
前記プレイリスト制御手段は、前記プレイリストより取得した前記時間情報に基づいて、前記アプリケーションソフトウエアの実行および前記映像ファイルの再生を行う
ことを特徴とする請求の範囲６または請求の範囲７記載のコンピュータ表示システム。
【請求項１０】
アプリケーションソフトウエアを実行するコンピュータ装置であって、
圧縮された映像信号を伸長しＴＶフォーマット映像信号を出力する映像デコード手段と、
コンピュータフォーマット映像信号を出力する映像出力手段と、
前記ＴＶフォーマット映像信号と前記コンピュータフォーマット映像信号との切り替えを外部に対して指示する制御信号を生成する制御信号生成手段とを備える
ことを特徴とするコンピュータ装置。
【請求項１１】
前記コンピュータ装置は、さらに、記録媒体に保持され、圧縮された映像信号の映像ファイル名、およびアプリケーションソフトウエアのファイル名が再生項目として記載されたプレイリストに基づいて、アプリケーションソフトウエアの実行および映像ファイルの再生を行うプレイリスト制御手段を備え、
前記映像出力手段は、アプリケーションソフトウエアの実行によりコンピュータフォーマット映像信号を出力し、
前記制御信号生成手段は、前記プレイリスト制御手段が行った前記アプリケーションソフトウエアの実行または映像ファイルの再生に基づいて前記制御信号を生成する
ことを特徴とする請求の範囲１０記載のコンピュータ装置。
【請求項１２】
削除
【請求項１３】
圧縮された映像信号を伸長しＴＶフォーマット映像信号を出力する映像デコード手段と、
コンピュータフォーマット映像信号を出力する映像出力手段と、
前記ＴＶフォーマット映像信号と前記コンピュータフォーマット映像信号との切り替えを指示する制御信号を生成する制御信号生成手段と、
前記制御信号に基づいて、前記ＴＶフォーマット映像信号と前記コンピュータフォーマット映像信号との切り替えを行い、いずれか一方の前記映像信号を外部に対して出力する映像信号切り替え手段を備える
ことを特徴とするコンピュータ装置。
【請求項１４】
コンピュータ装置が出力する映像信号を表示装置で表示するための映像表示方法であって、
圧縮された映像信号を伸長しＴＶフォーマット映像信号を出力する映像デコードステップと、
コンピュータフォーマット映像信号を出力する映像出力ステップと、
前記ＴＶフォーマット映像信号および前記コンピュータフォーマット映像信号それぞれの出力指示を検知する検知ステップと、
前記検知ステップの検知結果に基づいて、前記ＴＶフォーマット映像信号と前記コンピュータフォーマット映像信号との切り替えを外部に対して指示する制御信号を生成する制御信号生成ステップと
を含むことを特徴とする映像表示方法。
【請求項１５】
前記映像表示方法は、さらに、記録媒体に保持され、圧縮された映像信号の映像ファイル名、およびアプリケーションソフトウエアのファイル名が記載されたプレイリストに基づいて、アプリケーションソフトウエアの実行および映像ファイルの再生を行うプレイリスト制御ステップを含み、
前記映像出力ステップでは、アプリケーションソフトウエアの実行によりコンピュータフォーマット映像信号を出力し、
前記制御信号生成ステップでは、前記プレイリスト制御ステップで行われた前記アプリケーションソフトウエアの実行または映像ファイルの再生に基づいて前記制御信号を生成する
ことを特徴とする請求の範囲１４記載の映像表示方法。
【請求項１６】
コンピュータ装置が出力する映像信号を表示装置で表示するためのプログラムであって、
請求の範囲１４または１５記載の映像表示方法におけるステップをコンピュータ装置に実行させることを特徴とするプログラム。
【請求項１７】
（補正後）請求の範囲６、７、９のいずれか１項に記載のプレイリストおよび圧縮された映像信号の映像ファイルが記録された
ことを特徴とする記録媒体。
【国際調査報告】
2003054848.tif 000014
2003054848.tif 000015
2003054848.tif 000016
2003054848.tif 000017